(57)【要約】  本発明は、ストリーミングデータが遮断されずに円滑に再生できるストリーミングデータの送受信装置および送受信方法に関し、より詳しくは、多重経路を用いて障害物に拘らずリアルタイムのストリーミングデータ交換が可能な多重経路を用いたストリーミングデータの送受信装置および送受信方法に関する。本発明は、多重経路を用いたストリーミングデータの送信方法であって、送信可能な経路に関するシークエンシング情報を含む経路リストを管理して維持するステップと、前記ストリーミングデータをフレーム化するステップと、前記シークエンシング情報に応じて、前記経路を介して、前記フレーム化されたストリーミングデータを送信するステップとを含むことを特徴とするストリーミングデータ送信方法を提供する。
2011509553.tif 000002
【特許請求の範囲】
【請求項１】
多重経路を用いたストリーミングデータの送信方法であって、
送信可能な経路に関するシークエンシング情報を含む経路リストを管理して維持するステップと、
前記ストリーミングデータをフレーム化するステップと、
前記シークエンシング情報に応じて、前記経路を介して、前記フレーム化されたストリーミングデータを送信するステップと、
を含むことを特徴とするストリーミングデータ送信方法。
【請求項２】
前記シークエンシング情報に応じて、前記経路を介して、前記フレーム化されたストリーミングデータを送信する前記ステップは、
前記ストリーミングデータがプログレッシブモードの場合、前記ストリーミングデータのラインデータを、順序を決めて、前記シークエンシング情報に対応して前記経路を介して送信することを特徴とする請求項１に記載のストリーミングデータ送信方法。
【請求項３】
前記シークエンシング情報に応じて、前記経路を介して、前記フレーム化されたストリーミングデータを送信する前記ステップは、
前記ストリーミングデータがインターレースモードの場合、前記ストリーミングデータのラインデータを、複製して、前記シークエンシング情報に対応して１つ以上の前記経路を介して送信することを特徴とする請求項１に記載のストリーミングデータ送信方法。
【請求項４】
多重経路を用いたストリーミングデータの受信方法であって、
ストリーミングデータフレームを受信して、前記受信したストリーミングデータフレームから前記ストリーミングデータを収集するステップと、
前記収集したストリーミングデータを検証した検証情報を生成し、前記ストリーミングデータの損失の有無を判断するステップと、
前記検証情報を基に前記ストリーミングデータを復元するステップと、
を含むことを特徴とするストリーミングデータ受信方法。
【請求項５】
ストリーミングデータフレームを受信して、前記受信したストリーミングデータフレームから前記ストリーミングデータを収集する前記ステップは、
前記ストリーミングデータフレームに含まれるメタデータ情報から、前記ストリーミングデータを収集することを特徴とする請求項４に記載のストリーミングデータ受信方法。
【請求項６】
前記検証情報を基に前記ストリーミングデータを復元する前記ステップは、
前記判断の結果、前記ストリーミングデータが一部失われており、前記ストリーミングデータがプログレッシブモードである場合、失われたラインデータの隣接ラインデータから、前記失われたラインデータを補間することを特徴とする請求項４に記載のストリーミングデータ受信方法。
【請求項７】
前記検証情報を基に前記ストリーミングデータを復元する前記ステップは、
前記判断の結果、前記ストリーミングデータが一部失われており、前記ストリーミングデータがインターレースモードである場合、他の経路で受信された前記ストリーミングデータの復号化情報から、失われたラインデータを復元することを特徴とする請求項４に記載のストリーミングデータ受信方法。
【請求項８】
前記検証情報を基に前記ストリーミングデータを復元する前記ステップは、
前記判断の結果、前記ストリーミングデータがすべて失われた場合、復元された前記ストリーミングデータフレームの加重平均を取って、前記失われたストリーミングデータを復元することを特徴とする請求項４に記載のストリーミングデータ受信方法。
【請求項９】
多重経路を用いたストリーミングデータの送受信装置であって、
送信可能な経路に関するシークエンシング情報を含む経路リストを管理して維持する経路管理モジュールと、
前記シークエンシング情報を含む前記ストリーミングデータをフレーム化して、選定されたアンテナを介して前記ストリーミングデータを送信するデータ送信モジュールと、
ストリーミングデータフレームに含まれるメタデータ情報から、前記ストリーミングデータを受信するデータ受信モジュールと、
前記ストリーミングデータの正確な受信の有無と前記ストリーミングデータの損失の有無を判断して、検証情報を生成するデータ検証モジュールと、
前記検証情報を基に前記ストリーミングデータを復元する復元モジュールと、
を含むことを特徴とするストリーミングデータ送受信装置。
【請求項１０】
前記経路管理モジュールは、前記経路リスト情報を前記ストリーミングデータフレームのヘッダ部に挿入して、前記アンテナを介して前記ストリーミングデータが送信されるように制御することを特徴とする請求項９に記載のストリーミングデータ送受信装置。
【請求項１１】
前記アンテナは、指向性アンテナであることを特徴とする請求項９に記載のストリーミングデータ送受信装置。
【請求項１２】
前記シークエンシング情報は、前記経路リストに含まれる１つ以上の前記経路に関する循環的順序情報を含むことを特徴とする請求項９に記載のストリーミングデータ送受信装置。
【請求項１３】
前記シークエンシング情報は、前記経路に対する優先順位を基盤とする順序情報を含むことを特徴とする請求項９に記載のストリーミングデータ送受信装置。
【請求項１４】
前記データ送信モジュールは、
前記ストリーミングデータがプログレッシブモードの場合、前記ストリーミングデータのラインデータを、順序を決めて、前記シークエンシング情報に対応して前記経路を介して送信し、
前記ストリーミングデータがインターレースモードの場合、前記ラインデータを複製して、前記シークエンシング情報に対応して１つ以上の前記経路を介して送信することを特徴とする請求項９に記載のストリーミングデータ送受信装置。
【発明の詳細な説明】
【技術分野】
【０００１】
本発明は、ストリーミングデータが遮断されずに円滑に再生できるストリーミングデータの送受信装置および送受信方法に関し、より詳しくは、多重経路（Ｍｕｌｔｉｐｌｅ  Ｐａｔｈ）を用いて障害物に拘らずリアルタイムのストリーミングデータ交換が可能な多重経路を用いたストリーミングデータの送受信装置および送受信方法に関する。
【０００２】
本発明は、情報通信部および情報通信研究振興院のＩＴ成長動力技術開発事業の一環として行った研究から導出されたものである［課題管理番号：２００７−Ｓ−００２−０１、課題名：Ｍｕｌｔｉ−Ｇｉｇａｂｉｔ無線インターフェース技術開発］。
【背景技術】
【０００３】
チャネルの特性上、無指向性アンテナ（Ｏｍｎｉ  Ａｎｔｅｎｎａ）の代わりに指向性アンテナ（Ｄｉｒｅｃｔｉｏｎａｌ  Ａｎｔｅｎｎａ）を用いる６０ＧＨｚ帯域の無線通信システムでは、使用中の経路のチャネルが人または障害物によって遮断される場合、チャネル状態が極度に悪化して通信が途絶える場合が頻繁に発生する。通信が途絶える場合にも、人あるいは障害物が除去されれば、前記通信途絶をすぐに解消することができるが、６０ＧＨｚ帯域の無線通信システムは３Ｇｂｐｓ級の高速でデータを交換するため、非常に短い時間であっても、前記通信途絶は大変深刻な問題を招くことになる。
【０００４】
特に、リアルタイムのビデオストリーミングデータサービスのように大容量のストリーミングデータをリアルタイムで処理する場合、短い時間の通信途絶によってもビデオ視聴に不連続が発生し、視聴者からのサービスに対する不満を招く。
【０００５】
このような通信途絶の問題点を解決するために、従来は多重経路を用いるダイバシティ（ｄｉｖｅｒｓｉｔｙ）技術を用いていた。しかし、このようなダイバシティ技術は、６０ＧＨｚ帯域のように可視線（ＬＯＳ、Ｌｉｎｅ  ｏｆ  Ｓｉｇｈｔ）を用いた通信においては多重経路による効果を確認することが難しく、前記通信途絶などの問題点を解決することができなかった。
【０００６】
また、多重経路を用いたダイバシティ技術の問題点を解決するために、物理的に多重アンテナを用いて、前記多重アンテナごとに他の経路を用いるパスダイバシティ（Ｐａｔｈ  Ｄｉｖｅｒｓｉｔｙ）技術があった。このような従来の多重経路を用いる技術では、データ受信確認制御信号（ＡＣＫ）を基に、経路が途絶えたことを判別する。
【０００７】
しかし、このような従来の多重経路を用いたデータ送受信方法には、高速のリアルタイム処理を必要とするシステムであるため、前記データ受信確認制御信号を受信するだけの余裕のないシステムである場合や、または、応答信号などのフィードバック情報のないオープンループシステム（ｏｐｅｎ−ｌｏｏｐ  ｓｙｓｔｅｍ）の場合には適用できないという問題点があった。
【発明の概要】
【発明が解決しようとする課題】
【０００８】
本発明は、可視線上に人または障害物が存在しても、多重経路を介してリアルタイムのストリーミングデータ交換に不連続がない、多重経路を用いたストリーミングデータの送受信装置および送受信方法を提供する。
【０００９】
また、本発明は、指向性アンテナを用いた無線通信システムであっても、別の制御信号なしでストリーミングデータの断絶のない再生が可能な、ストリーミングデータの送受信装置および送受信方法を提供する。
【００１０】
また、本発明は、多重経路を介したストリーミングデータの交換において、前記ストリーミングデータに損失があっても、前記失われたストリーミングデータを復元することのできる、ストリーミングデータの送受信装置および送受信方法を提供する。
【課題を解決するための手段】
【００１１】
上記の目的を達成して従来技術の問題点を解決するために、本発明は、多重経路を用いたストリーミングデータの送信方法であって、送信可能な経路に関するシークエンシング情報（Ｓｅｑｕｅｎｃｅ  Ｉｎｆｏｒｍａｔｉｏｎ）を含む経路リストを管理して維持するステップと、前記ストリーミングデータをフレーム化するステップと、前記シークエンシング情報に応じて、前記経路を介して、前記フレーム化されたストリーミングデータを送信するステップとを含むことを特徴とするストリーミングデータ送信方法を提供する。
【００１２】
本発明の一側面によれば、多重経路を用いたストリーミングデータの受信方法であって、ストリーミングデータフレームを受信して、前記受信したストリーミングデータフレームから前記ストリーミングデータを収集するステップと、前記収集したストリーミングデータを検証した検証情報を生成し、前記ストリーミングデータの損失の有無を判断するステップと、前記検証情報を基に前記ストリーミングデータを復元するステップとを含むことを特徴とするストリーミングデータ受信方法が提供される。
【００１３】
本発明の他の一側面によれば、多重経路を用いたストリーミングデータの送受信装置であって、送信可能な経路に関するシークエンシング情報を含む経路リストを管理して維持する経路管理モジュールと、前記シークエンシング情報を含む前記ストリーミングデータをフレーム化して、選定されたアンテナを介して前記ストリーミングデータを送信するデータ送信モジュールと、ストリーミングデータフレームに含まれるメタデータ情報（Ｍｅｔａｄａｔａ  Ｉｎｆｏｒｍａｔｉｏｎ）から、前記ストリーミングデータを受信するデータ受信モジュールと、前記ストリーミングデータの正確な受信の有無と前記ストリーミングデータの損失の有無を判断して、検証情報を生成するデータ検証モジュールと、前記検証情報を基に前記ストリーミングデータを復元する復元モジュールとを含むことを特徴とするストリーミングデータ送受信装置が提供される。
【発明の効果】
【００１４】
本発明によれば、可視線上に人または障害物が存在しても、多重経路を介してリアルタイムのストリーミングデータ交換の不連続がない、多重経路を用いたストリーミングデータの送受信装置および送受信方法が提供される。
【００１５】
また、本発明によれば、指向性アンテナを用いた無線通信システムでも、別の制御信号なしで、ストリーミングデータの断絶のない再生が可能な、ストリーミングデータの送受信装置および送受信方法が提供される。
【００１６】
また、本発明によれば、多重経路を介したストリーミングデータの交換において、前記ストリーミングデータに損失があっても、前記失われたストリーミングデータを復元することのできる、ストリーミングデータの送受信装置および送受信方法が提供される。
【図面の簡単な説明】
【００１７】
【図１】本発明の一実施形態に係る多重経路を用いたストリーミングデータ送受信装置の構成を示すブロック図である。
【図２】本発明の一実施形態に係る多重経路を用いたストリーミングデータを送信する方法を示すフローチャートである。
【図３】本発明の一実施形態に係るプログレッシブ方式のラインデータの送信方式を示すものである。
【図４】本発明の一実施形態に係るインターレース方式のラインデータの送信方式を示すものである。
【図５】本発明の一実施形態に係る多重経路を用いたストリーミングデータを受信する方法を示すフローチャートである。
【発明を実施するための形態】
【００１８】
以下、添付した図面を参照しながら、本発明に係る多重経路を用いたストリーミングデータの送受信装置および送受信方法を詳細に説明する。本発明を説明するにあたり、関連する公知の機能または構成に対する具体的な説明が、本発明の要旨を不要にあいまいにすると判断される場合には、その詳細な説明を省略する。そして、本明細書で用いられる用語（ｔｅｒｍｉｎｏｌｏｇｙ）は、本発明の好適な実施形態を適切に表現するために用いられる用語であって、これはユーザ、運用者の意図、または本発明が属する分野の慣例などによって変わり得る。したがって、本用語に対する定義は、本明細書全般に渡る内容を土台として下されなければならない。
【００１９】
本発明の「ストリーミングデータ」は、「リアルタイムの無圧縮ビデオストリーミングデータ」を含む。
【００２０】
本発明の「無線通信システム」は、「６０Ｇｈｚ帯域の指向性アンテナを装着した無線通信システム」を含む。
【００２１】
本発明が適用される「６０ＧＨｚ帯域の無線通信システム」は、一般的に高い送信率を保障するために可視線上に位置する指向性アンテナを用いてストリーミングデータを交換し、前記可視線上以外の指向性アンテナを用いて、異なる経路を介してデータを交換するシステムを意味する。ここで「他の経路」は、反射を用いたり、または通信する送受信装置以外の中継装置を用いてもよく、用いられる技術的側面に応じて多重経路を設定して用いる方法が変わってもよい。
【００２２】
図１は、本発明の一実施形態に係る多重経路を用いたストリーミングデータ送受信装置の構成を示すブロック図である。
【００２３】
図１を参照すれば、本発明の多重経路を用いたストリーミングデータの送受信装置１００は、経路管理モジュール１１１、データ送信モジュール１１３、データ受信モジュール１２１、データ検証モジュール１２３、および復元モジュール１２５を含む。
【００２４】
経路管理モジュール１１１は、送信可能な経路に関するシークエンシング情報を含む経路リストを管理して維持する。経路管理モジュール１１１は、前記経路リスト情報をストリーミングデータフレームのヘッダ部に挿入して、選定されたアンテナを介して前記ストリーミングデータが送信されるように制御する。すなわち、経路管理モジュール１１１は、選定された規則によって送信可能な経路の中で特定経路を選択し、前記特定経路の情報を、送信する前記ストリーミングデータのフレームヘッダに挿入し、前記アンテナを介して前記ストリーミングデータが送信されるように制御する。
【００２５】
前記アンテナは、指向性アンテナであってもよく、前記シークエンシング情報は経路リストに含まれる１つ以上の前記経路に関する循環的順序情報（Ｃｙｃｌｉｃ  Ｏｒｄｅｒ  Ｉｎｆｏｒｍａｔｉｏｎ）を含んだり、前記経路に対する優先順位（Ｐｒｉｏｒｉｔｙ）を基盤とする順序情報を含んでもよい。
【００２６】
データ送信モジュール１１３は、前記シークエンシング情報を含むストリーミングデータをフレーム化して、選定されたアンテナを介して前記ストリーミングデータを送信する。すなわち、前記ストリーミングデータを物理階層（Ｐｈｙｓｉｃａｌ  Ｌａｙｅｒ）に伝達して、経路管理モジュール１１１によって設定されたアンテナを介して送信されるようにする。具体的には、データ送信モジュール１１３は、前記ストリーミングデータがプログレッシブモード（ｐｒｏｇｒｅｓｓｉｖｅ  ｍｏｄｅ）の場合、前記ストリーミングデータのラインデータを、順序を決めて、前記シークエンシング情報に対応して前記経路を介して送信し、前記ストリーミングデータがインターレースモード（ｉｎｔｅｌａｃｅｄ  ｍｏｄｅ）である場合、前記ラインデータを複製して、前記シークエンシング情報に対応して１つ以上の前記経路を介して送信する。
【００２７】
データ受信モジュール１２１は、ストリーミングデータフレームに含まれるメタデータ情報から、前記ストリーミングデータを受信する。
【００２８】
データ検証モジュール１２３は、データ受信モジュール１２１における前記ストリーミングデータの正確な受信の有無と、前記ストリーミングデータの損失の有無とを判断して、検証情報を生成する。
【００２９】
復元モジュール１２５は、データ検証モジュール１２３の前記検証情報を基に前記ストリーミングデータを復元する。復元モジュール１２５は、前記検証情報を基に前記ストリーミングデータの損失の有無を判断し、前記判断の結果、前記ストリーミングデータが一部失われており、前記ストリーミングデータがプログレッシブモードである場合、失われたラインデータの隣接ラインデータから、前記失われたラインデータを補間する。一方、前記判断の結果、前記ストリーミングデータが一部失われており、前記ストリーミングデータがインターレースモードである場合、他の経路で受信された前記ストリーミングデータの復号化情報から、失われたラインデータを復元する。また、前記判断の結果、前記ストリーミングデータがすべて失われた場合、復元された前記ストリーミングデータフレームの加重平均を取って、前記失われたストリーミングデータを復元する。
【００３０】
図２は、本発明の一実施形態に係る多重経路を用いたストリーミングデータを送信する方法を示すフローチャートである。
【００３１】
図２を参照すれば、まず送信可能な経路に関するシークエンシング情報を含む経路リストを管理して維持し（Ｓ２１０）、前記ストリーミングデータをフレーム化する（Ｓ２２０）。
【００３２】
以降、前記シークエンシング情報に応じて多重経路を介してストリーミングデータフレームを送信するが、前記ストリーミングデータフレームの送信方式がプログレッシブ方式であるかインターレース方式であるかを判断し（Ｓ２３０）、前記ストリーミングデータがプログレッシブモードの場合、前記ストリーミングデータのラインデータを、順序を決めて、前記シークエンシング情報に対応して多重経路を介して送信する（Ｓ２４０）。
【００３３】
一方、前記ストリーミングデータがインターレースモードの場合、前記ストリーミングデータのラインデータを、複製（Ｄｕｐｌｉｃａｔｅ）して、前記シークエンシング情報に対応して１つ以上の前記経路を介して送信する（Ｓ２５０）。
【００３４】
上述したように、前記シークエンシング情報は、前記経路リストに含まれる１つ以上の前記経路に関する循環的順序情報を含んだり、前記経路に対する優先順位を基盤とする順序情報を含んでもよい。すなわち、前記ラインデータ送信時に用いる経路の順序を前記ラインデータ単位で維持して、次のラインデータ送信では、用いる前記経路の順序を循環して送信する。また、重要度などの優先順位によって、前記ラインデータを送信するための経路の順序や、前記経路の反復される回数を変更して、前記ラインデータを送信することが可能である。このような前記シークエンシング情報を基に、前記ラインデータの送信時には、前記シークエンシング情報をストリーミングデータフレームヘッダの中のメタデータ情報に含ませてもよい。以下では、図３および図４を参照して、送信方式に係るラインデータ送信を詳細に説明することにする。
【００３５】
図３は、本発明の一実施形態に係るプログレッシブ方式のラインデータの送信方式を示すものであり、図４は、本発明の一実施形態に係るインターレース方式のラインデータの送信方式を示すものである。
【００３６】
受信端の映像信号などのストリーミングデータは、インターレース方式およびプログレッシブ方式を用いてもよい。インターレース方式のストリーミングデータは、１つのフレームに該当するストリーミングデータの情報を半分に分けて、１つのフレームに対して周波数が２倍である奇数フィールド（Ｏｄｄ  Ｆｉｅｌｄ）および偶数フィールド（Ｅｖｅｎ  Ｆｉｅｌｄ）に分けて表示する。すなわち、インターレース方式のストリーミングデータは、１つのフレームで奇数水平同期信号ラインからなる奇数フィールドと偶数水平同期信号ラインからなる偶数フィールドとを含み、プログレッシブ方式は、奇数フィールドと偶数フィールドのうち少なくとも１つに基づいて１つのフレームを生成してストリーミングデータ信号を生成する。
【００３７】
図３を参照すれば、第１ラインデータ３３１、３３３、３３５、３３７、３３９、３４１、３４３、３４５は、第１経路３１０を介して送信され、第２ラインデータ３３２、３３４、３３６、３３８、３４０、３４２、３４４、３４６は、第２経路３２０を介して送信される。また、図３で多重経路は、第１経路３１０および第２経路３２０だけが存在すると仮定すれば、第３ラインデータからは第１経路３１０および第２経路３２０を交代に用いて送信される。もし、第３経路が存在すれば、前記第１経路、前記第２経路、前記第３経路を交代に用いて送信される。このような本発明の多重経路を用いたストリーミングデータ送信方法によれば、送信経路を繰り返し変更して、いずれか１つのチャネルの途絶による前記ストリーミングデータの送信が不可能であっても、受信端で感じる体感画質のようなストリーミングデータの質の損傷を減らすことができる。
【００３８】
図４を参照すれば、インターレース方式は、ストリーミングデータを奇数フィールドと偶数フィールドに分けて、前記奇数フィールドおよび前記偶数フィールドをそれぞれ別の時間に走査する方式であり、隣接したラインデータは、フィールドが異なり、前記ラインデータを獲得する時間が異なるため、図３のようなプログレッシブ方式の送信方法を適用すれば、受信端（Ｒｅｃｅｉｖｉｎｇ−ｅｎｄ）で復元する場合、画質のようなストリーミングデータの質が低下する。したがって、本発明におけるインターレース方式の送信は、前記ストリーミングデータのラインデータを、順序を決めて、前記シークエンシング情報に対応して多重経路を介して送信するが、ラインデータを、第１経路４１０と第２経路４２０で繰り返し送信する。このような反復的送信は、前記ストリーミングデータのラインデータの送信が終わる時まで繰り返して、１つのストリーミングデータをすべて送信した後に、次のストリーミングデータを送信する場合には、経路順序を変更する。これは、送信チャネルの途絶が前記ストリーミングデータ以上に長くなった時に、途絶えたチャネルに送られるように分類された、継続するラインデータの途絶を防止するためである。すなわち、送信チャネルを繰り返し変更して、いずれか１つのチャネルの途絶による前記ストリーミングデータの送信が不可能であっても、受信端で感じる体感画質のようなストリーミングデータの質の損傷を減らすことができる。
【００３９】
上述した図３および図４における多重経路を用いた送信方法では、同じラインデータを異なる経路を介して送信するが、本発明が適用されるシステムが、ＯＦＤＭ技術のような多重経路信号の処理ができる能力（ｃａｐａｂｉｌｉｔｙ）を有するならば、他のタイムスロット（ｔｉｍｅ  ｓｌｏｔ）でなく、同じタイムスロットでもラインデータを送信することもできる。
【００４０】
図５は、本発明の一実施形態に係る多重経路を用いたストリーミングデータを受信する方法を示すフローチャートである。
【００４１】
図５を参照すれば、まずストリーミングデータフレームを受信して、前記受信したストリーミングデータフレームから前記ストリーミングデータを収集するが、具体的には、前記ストリーミングデータフレームに含まれるメタデータ情報から前記ストリーミングデータを収集する（Ｓ５１０）。
【００４２】
以後、前記収集したストリーミングデータを検証した検証情報を生成し、前記ストリーミングデータの損失の有無を判断し（Ｓ５２０）、前記検証情報を基に前記ストリーミングデータを復元するために、前記ストリーミングデータの損失有無の判断の結果（Ｓ５３０）、前記ストリーミングデータが一部失われており、前記ストリーミングデータがプログレッシブモードである場合（Ｓ５４０）には、失われたラインデータの隣接ラインデータから、前記失われたラインデータを補間する（Ｓ５４０）。一方、前記判断の結果、前記ストリーミングデータが一部失われており（Ｓ５３０）、前記ストリーミングデータがインターレースモードである場合（Ｓ５４０）には、他の経路で受信された前記ストリーミングデータの復号化情報から、失われたラインデータを復元する（Ｓ５６０）。
【００４３】
しかし、前記判断の結果、前記ストリーミングデータがすべて失われた場合（Ｓ５３０）には、復元された前記ストリーミングデータフレームの加重平均を取って、前記失われたストリーミングデータを復元する（Ｓ５７０）。
【００４４】
本発明に係る多重経路を用いたストリーミングデータ送受信方法は、様々な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピーディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成され、その逆も同様である。
【００４５】
上述したように、本発明の好ましい実施形態を参照して説明したが、本技術分野において熟練した当業者にとっては、特許請求の範囲に記載された本発明の思想および領域から逸脱しない範囲内で、本発明を様々に修正および変更させることができることを理解することができるであろう。すなわち、本発明の技術的範囲は、特許請求の範囲に基づいて定められ、発明を実施するための最良の形態により制限されるものではない。
【図１】
2011509553.tif 000003
【図２】
2011509553.tif 000004
【図３】
2011509553.tif 000005
【図４】
2011509553.tif 000006
【図５】
2011509553.tif 000007
【国際調査報告】
2011509553.tif 000008
2011509553.tif 000009